(57)【特許請求の範囲】
【請求項１】
複写機で再現可能な大きい点の集合体もしくは線群と、複写再現能力に満たない小さな点の集合体もしくは線群とが組み合わさって構成された潜像及びその背景が、有彩色かつ赤外線を吸収しない第１のインキで表された偽造防止印刷と、
複写再現能力に満たない小さな点で構成されて、目視上、前記小さな点の配列が略均一状の面を形成してなる識別コードが、前記第１のインキと合成すると無彩色になる有彩色かつ赤外線を吸収する第２のインキで表された刷り合わせ印刷と、が刷り重なり、
目視上、前記第１のインキの色と前記第２のインキの色とが合成された合成色としての無彩色となる略均一状の面を形成してなる偽造防止印刷物であって、
当該偽造防止印刷物における前記略均一状の面からは、赤外光で前記識別コードを読み取る光学装置で前記識別コードが読み取れ、かつ、その複写物上には、当該偽造防止印刷物における前記略均一状の面を形成している無彩色と異なる有彩色の前記第１のインキの色により、前記潜像又は前記背景が目視できる状態で現れる、
ことを特徴とする偽造防止印刷物。
【請求項２】
複写機で再現可能な大きい点の集合体もしくは線群と、複写再現能力に満たない小さな点の集合体もしくは線群とを組み合わせ、潜像及びその背景を構成した偽造防止印刷を、有彩色かつ赤外線を吸収しない第１のインキで印刷する偽造防止印刷工程と、
複写再現能力に満たない小さな点で構成されて、目視上、前記小さな点の配列が略均一状の面を形成してなる識別コードを有する刷り合わせ印刷を、前記第１のインキと合成すると無彩色になる有彩色かつ赤外線を吸収する第２のインキで印刷する刷り合わせ印刷工程と、を有し、
前記偽造防止印刷工程と前記刷り合わせ印刷工程とを経て前記偽造防止印刷と前記刷り合わせ印刷とを刷り重ねることによって、目視上、前記第１のインキの色と前記第２のインキの色とを合成した合成色としての無彩色となる略均一状の面を形成し、当該略均一状の面からは、赤外光で前記識別コードを読み取る光学装置で前記識別コードが読み取れ、かつ、その複写物上には前記略均一状の面を形成している無彩色と異なる有彩色の前記第１のインキの色により、前記潜像又は前記背景が目視できる状態で現れる、
ことを特徴とする偽造防止印刷物の製造方法。
【請求項３】
前記複写再現能力に満たない小さな点の一群によって、前記識別コードが構成され、前記一群における前記小さな点の面積率が、５から２５パーセントである、
ことを特徴とする請求項１に記載の偽造防止印刷物。
【請求項４】
前記刷り合わせ印刷工程において、前記複写再現能力に満たない小さな点の一群によって、前記識別コードを構成し、前記一群における前記小さな点の面積率を、５から２５パーセントとする、
ことを特徴とする請求項２に記載の偽造防止印刷物の製造方法。
【請求項５】
前記第２のインキが、分光波長８９０ナノメートルの反射率が６０パーセント以下となる濃度で印刷されている、
ことを特徴とする請求項１又は請求項３に記載の偽造防止印刷物。
【請求項６】
前記刷り合わせ印刷工程において、前記第２のインキを、分光波長８９０ナノメートルの反射率が６０パーセント以下となる濃度で印刷する、
ことを特徴とする請求項２又は請求項４に記載の偽造防止印刷物の製造方法。
【発明の詳細な説明】
【技術分野】
【０００１】
本発明は、原本か否かを識別することができる偽造防止印刷物及び偽造防止印刷物の製造方法に関するものである。
【背景技術】
【０００２】
従来、複写機による偽造防止対策として複写物上に潜像が現れる技術が用いられてきたが、カラーコピー機の普及に応じて、例えば、下記特許文献１では、補色の関係にある２色のインキの刷り重ねで、目視上、無彩色とした面から、カラーコピーした際に、有彩色の潜像が複写物上に現れる偽造防止印刷物が提案されている。また、下記特許文献２に記載されたセキュリティシステムは、非カーボンインクで施された印刷面上に、目視不可能なドットパターンが、赤外線を吸収する特性を有するカーボンインクで印刷されている。
【先行技術文献】
【特許文献】
【０００３】
【特許文献１】特開２００５−８８２７６号公報
【特許文献２】特開２００６−３３８６９０号公報
【発明の概要】
【発明が解決しようとする課題】
【０００４】
上記した偽造防止印刷物は、カラーコピーに対応した有効な発明ながら、例えば、用紙の種類や製造時期等、用紙を識別するための手段がない。仮に、この偽造防止印刷物に、上記したセキュリティシステムにあるような、赤外吸収性を有するインキで、ドットパターンが目視不能に刷り重ねられた場合、ドットパターンを印刷するためのインキが１色増えることから、濃度が濃くなり、複写した際の潜像と背景とのコントラスト差が現れ難くなるため、偽造防止効果が低下する。また、１色増えることによる工程上のコストアップは避けられない。特に、ドットパターンがブラックであれば、複写機に備わったカーボンブラックのトナーによって、ドットパターンも赤外吸収性も再現されるため、事実上、ドットパターンの機能が複写機で再現されてしまう。
【０００５】
本発明は、上記の実情に鑑みて提案されたものである。すなわち、用紙において、目視上無彩色となる面から、有彩色の潜像を複写物上に表す機能を有すると共に、複写機によるカラーコピーで再現することができず、更に、色数を増やすことなく、用紙の識別が可能である偽造防止印刷物及び偽造防止印刷物の製造方法の提供を目的とする。
【課題を解決するための手段】
【０００６】
本発明に係る偽造防止印刷物は、補色関係にある有彩色の第１のインキと第２のインキを用いて、第１のインキでは複写物上に潜像が現れる偽造防止印刷を、第２のインキでは複写機で再現されない小さい点で構成された識別コードを、目視上、略均一状の無彩色の面を成す様に刷り重ねることを特徴とする。
【０００７】
すなわち、本発明に係る偽造防止印刷物は、複写機で再現可能な大きい点の集合体もしくは線群と、複写再現能力に満たない小さな点の集合体もしくは線群とが組み合わさって構成された潜像及びその背景が、有彩色かつ赤外線を吸収しない第１のインキで表された偽造防止印刷と、複写再現能力に満たない小さな点で構成されて、目視上、前記小さな点の配列が略均一状の面を形成してなる識別コードが、前記第１のインキと合成すると無彩色になる有彩色かつ赤外線を吸収する第２のインキで表された刷り合わせ印刷と、が刷り重なり、目視上、前記第１のインキの色と前記第２のインキの色とが合成された合成色としての無彩色となる略均一状の面を形成してなる偽造防止印刷物であって、当該偽造防止印刷物における前記略均一状の面からは、赤外光で前記識別コードを読み取る光学装置で前記識別コードが読み取れ、かつ、その複写物上には、当該偽造防止印刷物における前記略均一状の面を形成している無彩色と異なる有彩色の前記第１のインキの色により、前記潜像又は前記背景が目視できる状態で現れる、ことを特徴とする。
【０００８】
本発明に係る偽造防止印刷物の製造方法は、複写機で再現可能な大きい点の集合体もしくは線群と、複写再現能力に満たない小さな点の集合体もしくは線群とを組み合わせ、潜像及びその背景を構成した偽造防止印刷を、有彩色かつ赤外線を吸収しない第１のインキで印刷する偽造防止印刷工程と、複写再現能力に満たない小さな点で構成されて、目視上、前記小さな点の配列が略均一状の面を形成してなる識別コードを有する刷り合わせ印刷を、前記第１のインキと合成すると無彩色になる有彩色かつ赤外線を吸収する第２のインキで印刷する刷り合わせ印刷工程と、を有し、前記偽造防止印刷工程と前記刷り合わせ印刷工程とを経て前記偽造防止印刷と前記刷り合わせ印刷とを刷り重ねることによって、目視上、前記第１のインキの色と前記第２のインキの色とを合成した合成色としての無彩色となる略均一状の面を形成し、当該略均一状の面からは、赤外光で前記識別コードを読み取る光学装置で前記識別コードが読み取れ、かつ、その複写物上には前記略均一状の面を形成している無彩色と異なる有彩色の前記第１のインキの色により、前記潜像又は前記背景が目視できる状態で現れる、ことを特徴とする
【０００９】
本発明に係る偽造防止印刷物は、前記複写再現能力に満たない小さな点の一群によって、前記識別コードが構成され、前記一群における前記小さな点の面積率が、５から２５パーセントであることが好ましい。
【００１０】
本発明に係る偽造防止印刷物の製造方法は、前記刷り合わせ印刷工程において、前記複写再現能力に満たない小さな点の一群によって、前記識別コードを構成し、前記一群における前記小さな点の面積率を、５から２５パーセントとすることが好ましい。
【００１１】
本発明に係る偽造防止印刷物は、前記第２のインキが、分光波長８９０ナノメートルの反射率が６０パーセント以下となる濃度で印刷されているものであることが好ましい。
【００１２】
本発明に係る偽造防止印刷物の製造方法は、前記刷り合わせ印刷工程において、前記第２のインキを、分光波長８９０ナノメートルの反射率が６０パーセント以下となる濃度で印刷するものであることが好ましい。
【発明の効果】
【００１３】
本発明に係る偽造防止印刷物及び偽造防止印刷物の製造方法によれば、赤外線を吸収する第２のインキで識別コードが表されているため、光学装置によって、識別コードから所定の情報が読み取られる。光学装置が音声を発する機能を有していれば、読み取った所定の情報に応じて、例えば、「Ａ社発行」という音声が発せられる。したがって、用紙の識別が可能となる。
【００１４】
識別コードは、複写再現能力に満たない小さな点であるため、本来、複写機による複製はできないが、仮に、スキャナー等で精密に複製された場合であっても、一般的に、レーザープリンターのトナーやインクジェットプリンターのインクは、ブラック以外の色では赤外線を吸収しないため、赤外光で識別コードを読み取る光学装置では、複製物の識別コードから所定の情報を読み取ることができない。また、仮に、モノクロ出力で複製したとしても、識別コードは第１のインキで表された偽造防止印刷に刷り重なった状態で複製されるため、識別コードを単独で表すことができず、やはり所定の情報を読み取ることはできない。
【００１５】
偽造防止印刷物は、有彩色の第１のインキで表された偽造防止印刷と、有彩色の第２のインキで表された刷り合わせ印刷とが刷り重なった無彩色であり、その複写物上に、有彩色の潜像や背景を現すことができる。
また、識別コードは、有彩色の偽造防止印刷を、目視上、無彩色とするための刷り合わせ印刷に施されていることから、第２のインキで表された刷り合わせ印刷は、偽造防止印刷物を無彩色に表現するための補色としての役割と、識別コードとしての役割とを担っている。
したがって、複写物上に有彩色の潜像や背景を現す偽造防止印刷物に、色数を増やすことなく、識別コードを施すことができる。
【００１６】
本発明に係る偽造防止印刷物及び偽造防止印刷物の製造方法によれば、複写再現能力に満たない小さな点の一群によって、識別コードが構成され、一群における小さな点の面積率が、５から２５パーセントである。すなわち、小さな点の面積率を５から２５パーセントで構成することにより、第１のインキで印刷された偽造防止印刷と刷り重ねて無彩色になるように印刷することができ、かつ、複写で再現されない点の大きさを保ちつつ、光学装置で識別コードから所定の情報が確実に読み取れる機能を有することができる。
【００１７】
本発明に係る偽造防止印刷物及び偽造防止印刷物の製造方法によれば、第２のインキが、第１のインキで印刷される偽造防止印刷と刷り重ねて目視上無彩色となるように、かつ、８９０ナノメートルの波長の反射率が６０パーセント以下となる濃度で印刷されている。この構成により、第２のインキで表された識別コードは、個々の点の８９０ナノメートルの波長の反射率が６０パーセント以下となっていることにより、確実に赤外線を吸収し、輪郭が顕著となる。したがって、確実に識別コードから所定の情報を読み取ることができる。
【図面の簡単な説明】
【００１８】
【図１】図１は、本発明の実施形態に係る偽造防止印刷物の概略図である。
【図２】図２は、本発明の実施形態に係る偽造防止印刷物を構成する偽造防止印刷の概略図である。
【図３】図３は、本発明の実施形態に係る偽造防止印刷物を構成する刷り合わせ印刷の概略図である。
【図４】図４は、本発明の実施形態に係る偽造防止印刷物の複写物の概略図である。
【発明を実施するための形態】
【００１９】
以下、本発明の実施形態に係る偽造防止印刷物を図面に基づいて説明する。図１は、偽造防止印刷物１が示され、図２は、偽造防止印刷物１を構成する偽造防止印刷２が示され、図３は、偽造防止印刷物１を構成する刷り合わせ印刷３が示されている。図４は、偽造防止印刷物１の複写物１０が示されている。
【００２０】
図１における偽造防止印刷物１は、図２に示された偽造防止印刷２に、図３に示された刷り合わせ印刷３が刷り重ねられたものであり、肉眼では視認し辛いが複写機（図示省略。）による複写が可能な複写対象部４と、複写機による複写の度合いが複写対象部４よりも劣る複写不可部５とを有している。複写対象部４は、視認し辛い潜像であり、一方で、複写不可部５は、背景である。したがって、偽造防止印刷物１が複写されると、図４に示されているとおり、複写物１０には、潜像である複写対象部４に相当する複写部１１のみが現れ、背景である複写不可部５は、印刷されない。なお、「複写機による複写の度合いが複写対象部４よりも劣る」とは、例えば、複写機による複写が不可能であって完全に複写されない場合や、複写機による複写が可能であるが肉眼では視認し得ない程度の場合や、肉眼で視認し得るが僅かである場合や、肉眼で視認し得るが複写対象部４よりも明瞭ではない場合が含まれる。
【００２１】
偽造防止印刷物１は、目視上、無彩色であって略均一状の面を有している。すなわち、各部４，７は、目視上、微細な点又は線群が規則的な配列を成し、錯覚による凹凸がなく平坦に表れ、色斑もない。したがって、偽造防止印刷物１は、目視上、無彩色であり、全面が一様な用紙である。偽造防止印刷物１は、目視上、例えば、灰色等である。この無彩色は、偽造防止印刷２に刷り合わせ印刷３が刷り重ねられ、偽造防止印刷２における第１のインキの色と、刷り合わせ印刷における第２のインキの色とが（以下、第１のインキを「第１インキ」と記し、第２のインキを「第２インキ」と記す。）、合成されたことで実現された合成色であるため、各インキは、互いに補色の関係にある有彩色である。例えば、合成色が、灰色であれば、第１インキは、赤色や青色であり、補色となる第２インキは、緑色や橙色である。カラーコピーによって複写物１０に現れる潜像が、赤色や青色であれば、色目が灰色より鮮烈となり、偽造防止効果が良好であるため好ましい。
【００２２】
例えば、第１インキの色、第１インキの色、両版による合成色の組み合わせは、以下のとおりである。なお、各インキの色は、任意であるが、合成色は、体裁上、無彩色であることが好ましい。
【００２３】
第１インキ  ＋  第２インキ  ＝  合成色
赤      ＋      緑      ＝    灰
青      ＋      橙      ＝    灰
紫      ＋      黄      ＝    灰
【００２４】
第１インキは、有彩色であることに加えて、赤外線を吸収しない、又は殆ど吸収しない性質を有している。一方で、第２インキは、有彩色であることに加えて、赤外線を吸収する性質を有している。
【００２５】
図２において、偽造防止印刷２は、有彩色の第１インキによって表され、上記のとおり、例えば赤色等である。偽造防止印刷２は、複写機で再現可能な線群である潜像部６と、複写再現能力に満たない小さな点の集合体である背景部７とが、組み合わさって表されている。詳説すれば、潜像部６は、万線によって表され、３０〜７０線／インチの線群で構成されている。一方で、背景部７は、平網によって表され、１００〜３００線／インチの網点で構成されている。両者の面積率は、５〜２５パーセント（％）である。これらの線数及び面積率によれば、背景部７は、視認が可能であっても、複写機によって複写できず、潜像部６は、視認が可能であるが視認し辛く、複写機によって複写できる。なお、潜像部６は、複写機で再現可能な大きい点の集合体であってもよく、また、背景部７は、複写再現能力に満たない線群であってもよい。この場合の線群は、潜像部６に用いられた万線よりも細い線で構成されるか、潜像部６で用いられた万線とは異なる角度で構成される。
【００２６】
なお、線数とは、１インチ中に存在する線の本数をいい、同じ面積率の場合、線数が大きい（多い）ほど、形成される点（網点）は小さくなり、線（万線）は細くなる。線数の差が大きいほど、境界が目立つ傾向がある。また、面積率は、単位面積中の網点や万線の面積の割合をいう。したがって、例えば、１５０線１５パーセントの平網と、４２線１５パーセントの万線に基づいて作製された網点万線の偽造防止印刷２は、平網の部分で、背景部７が実現し、万線の部分で、潜像部６が実現する。
【００２７】
図３において、刷り合わせ印刷３は、偽造防止印刷２と補色の関係となる有彩色の第２インキによって表され、上記の構成により第１インキが赤色であれば、第２インキは緑色である。また、第２インキは、赤外線を吸収する性質を有している。
【００２８】
刷り合わせ印刷３は、複写再現能力に満たない小さな点の一群によって構成された識別コード８を有している。この識別コード８は、目視上、小さな点の配列が略均一状の面を形成している。詳説すれば、識別コード８は、平網と同様に略均一状の面に見えるものであり、１００〜３００線／インチの平網相当の小さな点の集合体で構成されている。したがって、識別コード８は、小さい点の一群によって構成され、この識別コード８が無数に整列して刷り合わせ印刷３が形成されている。一群単位でみた場合の単一の識別コード８は、例えば、６×６のマトリックス中において任意に配置された複数の小さい点（以下、識別コードを構成する小さい点の一群を「ドットコード」と記す。）９から構成されている。識別コード８におけるドットコード９の面積率は、５から２５パーセントである。例えば、マトリックス中において、ドットコード９が「１」、空欄が「０」と定義されれば、識別コード８は、ビットで表され、後述する赤外線読み取り装置によって読み取られる。なお、刷り合わせ印刷３において、すべての識別コード８が同種のものであってもよいし、異なる複数種類の識別コード８が存在してもよい。また、識別コード８におけるマトリックスのマス目の数は任意である。
【００２９】
識別コード８は、例えば、音声や光等の所定の情報と関連付けられている。音声は、例えば、「原本です」「○○社製です」などであり、任意である。
【００３０】
ドットコード９の一点は、偽造防止印刷物１において、第２インキが、分光波長８９０ナノメートル（ｎｍ）である赤外線の反射率が６０パーセント以下となる濃度で、印刷されている。ドットコード９の一点のみについていえば、このドットコード９の面積に相当する紙面に対する、ドットコード９の一点を構成する第２インキの割合は、１００パーセントであることから、ドットコード９の一点は、ベタで印刷したものといえる。このように、ドットコード９の一点をベタで印刷したとした場合、当該ドットコード９の一点は、分光波長８９０ナノメートルである赤外線の反射率が６０パーセント以下となる濃度である。換言すれば、ドットコード９一点における第２インキは、分光波長８９０ナノメートルである赤外線の反射率が６０パーセント以下となるベタ濃度で印刷されている。
【００３１】
なお、偽造防止印刷物１は、イラスト版や地紋版が印刷されていてもよい。地紋版（白抜き地紋も含まれる）は、複写前の印刷物において、合成色における色の偏りを緩和する役目を果たし、さらに、潜像を見え辛くするカムフラージュの役目も果たす。この場合、イラスト版や地紋版の指定色を利用し、色数を減らすようにしてもよい。例えば、原稿に赤や青の原色、及び／又は、緑色や橙色（地紋も含む）が組み込まれている場合、その色を偽造防止印刷２や刷り合わせ印刷３と共通の版にして、色数を減らすことが可能となる。その際、イラスト等の印刷色が薄い場合には、同色で濃度の高いインキに変更し、イラスト等に適正な網をかけて濃度を調整することが望ましい。インキの濃度はプロセス色に準じた設定で変更する。また、この色が他の色と掛け合わせになる場合はモアレが発生しない角度で使用することが望ましい。また、例えば、刷り合わせ印刷３に地紋を組み込む場合、その色が緑色、橙色なら２０パーセント程度、また黄色等の目立たない場合は、５０パーセント程度の網をかけて対応することが望ましい。
【００３２】
次に、偽造防止印刷物１の作製手順を説明する。本実施形態では、偽造防止印刷工程と刷り合わせ印刷工程とを経る。なお、偽造防止印刷工程の後に刷り合わせ印刷工程を経てもよいし、刷り合わせ印刷工程の後に偽造防止印刷工程を経てもよい。また、刷版は、常法に準じた手法による。
【００３３】
偽造防止印刷２は、偽造防止印刷工程を経て作製される。偽造防止印刷工程は、潜像部６（複写機で再現可能な大きい点の集合体もしくは線群）と、背景部７（複写再現能力に満たない小さな点の集合体もしくは線群）とを組み合わせて構成した偽造防止印刷２を、第１インキで印刷するものである。
【００３４】
刷り合わせ印刷３は、刷り合わせ印刷工程を経て作製される。刷り合わせ印刷工程では、はじめに、任意の識別コード８が生成され、この識別コード８が、複写再現能力に満たない小さな点の一群によって構成され、目視上、小さな点の配列が略均一状の面を成すように、第２インキで印刷される。その際、偽造防止印刷物１において、第２インキが、分光波長８９０ナノメートル（ｎｍ）である赤外線の反射率がベタで６０パーセント以下となる濃度で、刷り合わせ印刷３を印刷する。さらに、識別コード８におけるドットコード９の面積率を、５から２５パーセントとする。その他の作製手順は、偽造防止印刷２と同じである。
【００３５】
識別コード８は、所定の情報に関連付けられ、識別コード８を読み取る光学装置としての赤外線読み取り装置（図示省略。）に記憶される。赤外線読み取り装置は、所定の情報を記憶する記憶装置と、赤外線を放射する赤外線光源と、ＣＣＤイメージセンサやＣＭＯＳセンサなどの画像読み取り装置と、読み取られた画像に応じて所定の情報を抽出する画像処理装置と、抽出された所定の情報を出力するスピーカーや発光部などの出力装置とを有している。
【００３６】
偽造防止印刷工程において、偽造防止印刷２は、赤外線を吸収しない性質を有する第１インキで印刷され、刷り合わせ印刷工程において、偽造防止印刷２と、赤外線を吸収する性質を有する第２インキで刷り合わせ印刷３が刷り重ねられ、例えば、オフセット印刷によって作製される。偽造防止印刷２の潜像部６及び背景部７と、刷り合わせ印刷３の識別コード８とが重なり、複写対象部４及び複写不可部５を有する偽造防止印刷物１が作製される。
【００３７】
なお、印刷用基材は、所定サイズに予め断裁されたシートでも、ロール巻きで供給される長尺材でもよく、例えば、後者の場合には、印刷工程の後、断裁用基準線を目安に、任意のサイズにて断裁処理を行えばよい。また、基材の種類についても特に限定するものではない。例えば、表面の反射濃度が低いフルカラー対応コピー用紙や乳白ＰＥＴでは、色の変化がより強調されるが、一般的なＮＩＰ（ＮｏｎＩｍｐａｃｔ Ｐｒｉｎｔｅｒ）用紙でも、実用充分な偽造防止効果を得ることができる。
【００３８】
作製された偽造防止印刷物１は、目視上、第１インキと第２インキとが合成された合成色である無彩色であって、略均一状の面を有している。すなわち、各部６，７，８が刷り重なった状態においても、複写対象部４及び複写不可部５としては、目視上、網点又は万線が規則的な配列を成し、錯覚による凹凸がなく平坦に表れ、色斑もない。
【００３９】
偽造防止印刷物１に対し、赤外線読み取り装置によって赤外線が照射されると、赤外線は、第２インキにおいて吸収される。識別コード８は、第２インキで印刷されたものであるため、赤外線を吸収することで輪郭が顕著となり、赤外線読み取り装置によって画像として読み取られる。赤外線読み取り装置は、識別コード８に応じた所定の情報を抽出して出力する。
【００４０】
偽造防止印刷物１が複写機によって複写された複写物１０は、偽造防止印刷物１において表れた略均一状の面における無彩色とは異なり、第１インキの有彩色によって、潜像部６であった複写対象部４に相当する複写部１１のみが目視できる状態で現れる。
【００４１】
以上のとおり、偽造防止印刷物１が構成されている。
【００４２】
次に、実施例を説明する。
【００４３】
実施例では、識別コード８におけるドットコード９の面積率が、下表１であった場合における、赤外線読み取り装置による読み取りの程度を評価した。面積率毎の評価を下表１にまとめる。なお、面積率が５パーセント未満の場合や２５パーセントよりも高い場合、読み取り不可となり、また偽造防止印刷２と刷り重ねても色のバランスが取れず、無彩色とならない。
【００４４】
【表１】
0006739089.tif 000002
【００４５】
また、実施例では、第２インキを、分光波長８９０ナノメートル（ｎｍ）である赤外線の反射率が下表２であった場合の濃度で、ベタで印刷した場合において（点同士間に隙間が無く、紙に対する点の割合が１００パーセントである場合において）、赤外線読み取り装置による読み取りの程度を評価した。反射率毎の評価を下表２にまとめる。なお、刷り合わせ印刷３における単一の点（識別コード８における単一のドットコード９）も、その単一の点の面積に対しては、ベタで印刷されたものであるが、測定が困難であるため、実際には、測定可能な面積を実施例とした。可視域において同色で視認でき、かつ、赤外線の吸収量が異なる有彩色のインキを、ＲＩテスタにおける２分割ロールの片側に０．１５ｃｃのインキ量でそれぞれＮＩＰ用紙に展色したときの反射率を下表２にまとめる。赤外線読み取り装置は、ｓｏｎｉｘ社製の音声ペンである。
【００４６】
【表２】
0006739089.tif 000003
【００４７】
次に、偽造防止印刷物１の効果を説明する。
【００４８】
上記したとおり、本実施形態によれば、赤外線を吸収する性質を有する第２インキで識別コード８が表されているため、赤外線読み取り装置によって、識別コード８から所定の情報が読み取られる。したがって、用紙の識別が可能である。
【００４９】
識別コード８は、複写再現能力に満たない小さな点であるため、本来、複写は不可能であるが、仮に、複写された場合であっても、一般的に、カラーコピー機のブラック以外のトナーは赤外線を吸収しないため、複写物１０の識別コードは、通常のトナーで出力される。このトナーで表された識別コードに照射された赤外線は、反射し、識別コードから音声等を読み取ることはできない。したがって、識別コード８を、複写機で再現することはできない。
【００５０】
偽造防止印刷物１は、有彩色の第１インキで表された偽造防止印刷２と、有彩色の第２インキで表された刷り合わせ印刷３とが刷り重なった無彩色であり、その複写物１０は、第１インキの有彩色による潜像部６であった複写対象部４に相当する複写部１１のみが現れることから、目視上は無彩色である偽造防止印刷物１から、有彩色の複写部１１が現れた複写物１０を複写することができる。また、識別コード８は、有彩色の偽造防止印刷２から目視上無彩色の偽造防止印刷物１を作製するための刷り合わせ印刷３に、施されていることから、刷り合わせ印刷３における第２インキは、無彩色を再現するための補色の役割と識別コード８を表す役割とを担っている。したがって、色数を増やすことなく、識別コード８を施すことができる。
【００５１】
本実施形態によれば、識別コード８におけるドットコード９の面積率が、５から２５パーセントである。すなわち、適切な面積率により、識別コード８を認識するうえで、識別コード８における第２インキの膜厚と面積率、濃度が適切となり、確実に識別コード８から所定の情報を読み取ることができる。また、適切な範囲を占める識別コード８が、偽造防止印刷２の潜像部６及び背景部７と刷り重なることにより、偽造防止印刷２の有彩色を、偽造防止印刷物１において適切に無彩色とすることができる。
【００５２】
本実施形態によれば、第２インキが、分光波長８９０ナノメートル（ｎｍ）である赤外線の反射率がベタで６０パーセント以下となる濃度で、刷り合わせ印刷３が印刷されている。この構成により、第２のインキで表された識別コード８は、反射率がベタで６０パーセント以下となっていることにより、確実に赤外線を吸収し、輪郭が顕著となる。したがって、確実に識別コード８から所定の情報を読み取ることができる。
【００５３】
なお、本発明の他の実施形態では、偽造防止印刷の潜像部が平網であり、背景部が万線である。また、他の実施形態では、刷り合わせ印刷工程の後に、偽造防止印刷工程を経る。すなわち、他の実施形態では、刷り合わせ印刷に、偽造防止印刷が刷り重ねられている。また、他の実施形態では、偽造防止印刷において、複写機で再現可能な大きい点の集合体もしくは線群で背景が表され、複写再現能力に満たない小さな点の集合体で潜像が表される。
【００５４】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５５】
１    偽造防止印刷物
２    偽造防止印刷
３    刷り合わせ印刷
４    複写対象部
５    複写不可部
６    潜像部
７    背景部
８    識別コード
９    ドットコード
１０  複写物
１１  複写部
【要約】
【課題】用紙において、目視上無彩色となる面から、有彩色の潜像又は背景を複写物上に表す機能を有すると共に、複写機によるカラーコピーで再現することができず、更に、色数を増やすことなく、用紙の識別が可能である偽造防止印刷物を提供する。
【解決手段】偽造防止印刷物１は、複写対象部４と複写不可部５とが、有彩色の第１インキで表された偽造防止印刷と、識別コード８が、有彩色かつ赤外線吸収特性を有する第２インキで表された刷り合わせ印刷とが刷り重なった無彩色の用紙であり、その複写物は、偽造防止印刷の潜像部６であった複写対象部４に相当する箇所のみが第１インキの有彩色で現れ、また、赤外線読み取り装置によって、識別コード８から所定の情報が読み取られる。
【選択図】図１【図１】
0006739089.tif 000004
【図２】
0006739089.tif 000005
【図３】
0006739089.tif 000006
【図４】
0006739089.tif 000007